(57)【特許請求の範囲】
【請求項１】
通話機能および画情報蓄積機能を備えたファクシミリ装置において、
通話終了時、当該通話先が送信宛先に設定されているファクシミリ画情報を蓄積しているとき、当該通話終了時から課金単位の終了までの残り時間が所定値以上ある場合には、当該通話にかかる回線が切断される前に、所定のファクシミリ伝送手順を開始し、上記残り時間を用いて、そのときの通話宛先に対して上記ファクシミリ画情報の部分を送信する画情報送信手段と、
通話終了後、回線が切断される前に、所定のファクシミリ伝送手順にかかるファクシミリ信号を受信すると、所定のファクシミリ伝送手順を開始して、画情報を蓄積する画情報受信手段を備えたことを特徴とするファクシミリ装置。
【請求項２】
前記画情報送信手段は、１つの前記ファクシミリ画情報の送信を完了するまで、繰り返し、通話終了後に、同一の条件の下に、同一ファクシミリ画情報の残りの部分の送信を行う一方、
前記画情報受信手段は、繰り返し、通話終了後に、同一相手先よりファクシミリ画情報の部分を受信すると、受信した部分を統合し、１つのファクシミリ画情報が完成すると、当該ファクシミリ画情報の受信原稿を記録出力することを特徴とする請求項１記載のファクシミリ装置。
【請求項３】
前記所定値は、前記所定のファクシミリ伝送手順の伝送前手順に要する時間に応じて設定されることを特徴とする請求項１または請求項２記載のファクシミリ装置。
【請求項４】
前記ファクシミリ画情報には送信期限日時が設定される一方、
前記画情報送信手段は、当該送信期限日時までに送信完了しなかった上記ファクシミリ画情報が蓄積されている場合には、残りの画情報について、指定された送信宛先へ送信することを特徴とする請求項１または請求項２または請求項３記載のファクシミリ装置。
【請求項５】
前記画情報送信手段は、前記ファクシミリ画情報の部分の送信に際して、所定のパケット通信手順を用い、
前記画情報受信手順は、上記ファクシミリ画情報の部分の受信に際して、上記パケット通信手順を用いることを特徴とする請求項１または請求項２または請求項３または請求項４記載のファクシミリ装置。
【請求項６】
通話機能、内線通信機能および画情報蓄積機能を備えたファクシミリ装置において、
通話終了時、当該通話先が中継局に指定され、当該通話先が接続される内線番号が送信宛先に設定されているファクシミリ画情報を蓄積しているとき、当該通話終了時から課金単位の終了までの残り時間が所定値以上ある場合には、当該通話にかかる回線が切断される前に、所定のファクシミリ伝送手順を開始し、上記残り時間を用いて、そのときの通話宛先に対して上記ファクシミリ画情報の部分を送信するとともに、１つの上記ファクシミリ画情報の送信を完了するまで、繰り返し、通話終了後に、同一の条件の下に、同一ファクシミリ画情報の残りの部分の送信を行う画情報送信手段と、
通話終了後、回線が切断される前に、所定のファクシミリ伝送手順にかかるファクシミリ信号を受信すると、所定のファクシミリ伝送手順を開始して、画情報を蓄積するとともに、繰り返し、通話終了後に、同一相手先よりファクシミリ画情報の部分を受信すると、受信した部分を統合し、１つのファクシミリ画情報が完成すると、当該ファクシミリ画情報を、あらかじめ登録されている内線宛先へ送信する画情報受信手段を備えたことを特徴とするファクシミリ装置。
【請求項７】
前記所定値は、前記所定のファクシミリ伝送手順の伝送前手順に要する時間に応じて設定されることを特徴とする請求項６記載のファクシミリ装置。
【請求項８】
前記ファクシミリ画情報には送信期限日時が設定される一方、
前記画情報送信手段は、当該送信期限日時までに送信完了しなかった上記ファクシミリ画情報が蓄積されている場合には、残りの画情報について、指定された送信宛先へ送信することを特徴とする請求項６または請求項７記載のファクシミリ装置。
【請求項９】
前記画情報送信手段は、前記ファクシミリ画情報の部分の送信に際して、所定のパケット通信手順を用い、
前記画情報受信手順は、上記ファクシミリ画情報の部分の受信に際して、上記パケット通信手順を用いることを特徴とする請求項６または請求項７または請求項８記載のファクシミリ装置。
【発明の詳細な説明】
【０００１】
【発明の属する技術分野】
本発明は、通話機能および画情報蓄積機能を備えたファクシミリ装置、および、通話機能、内線通信機能および画情報蓄積機能を備えたファクシミリ装置に関する。
【０００２】
【従来の技術】
従来より、通話機能を備えたファクシミリ装置が実用されており、１つの電話回線を用いて、通話とファクシミリ通信ができるようになっている。
【０００３】
【発明が解決しようとする課題】
一方、通話料金あるいは通信料金は、利用している電話会社との契約の下に、例えば、相手先との距離に応じた課金単位（課金単位時間および課金単位金額）が設定されており、通話時間と課金単位時間により決定される数値に、課金単位金額を乗算した値が通話料金あるいは通信料金として算出される。
【０００４】
ところが、通話時間および通信時間が課金単位時間の整数倍の時間を持って終了することはまれであり、通話および通信の終了から課金単位時間の満了までにずれを生じ、そのために、実際の通話時間および通信時間の総計よりもより多くの通話料金および通信料金が請求されるという事態を生じていた。
【０００５】
本発明は、かかる実情に鑑みてなされたものであり、より通信料金を抑制することのできるファクシミリ装置を提供することを目的としている。
【０００６】
【課題を解決するための手段】
本発明は、通話機能および画情報蓄積機能を備えたファクシミリ装置において、通話終了時、当該通話先が送信宛先に設定されているファクシミリ画情報を蓄積しているとき、当該通話終了時から課金単位の終了までの残り時間が所定値以上ある場合には、当該通話にかかる回線が切断される前に、所定のファクシミリ伝送手順を開始し、上記残り時間を用いて、そのときの通話宛先に対して上記ファクシミリ画情報の部分を送信する画情報送信手段と、通話終了後、回線が切断される前に、所定のファクシミリ伝送手順にかかるファクシミリ信号を受信すると、所定のファクシミリ伝送手順を開始して、画情報を蓄積する画情報受信手段を備えたものである。前記画情報送信手段は、１つの前記ファクシミリ画情報の送信を完了するまで、繰り返し、通話終了後に、同一の条件の下に、同一ファクシミリ画情報の残りの部分の送信を行う一方、前記画情報受信手段は、繰り返し、通話終了後に、同一相手先よりファクシミリ画情報の部分を受信すると、受信した部分を統合し、１つのファクシミリ画情報が完成すると、当該ファクシミリ画情報の受信原稿を記録出力するようにしたものである。また、前記所定値は、前記所定のファクシミリ伝送手順の伝送前手順に要する時間に応じて設定されるものである。また、前記ファクシミリ画情報には送信期限日時が設定される一方、前記画情報送信手段は、当該送信期限日時までに送信完了しなかった上記ファクシミリ画情報が蓄積されている場合には、残りの画情報について、指定された送信宛先へ送信するようにしたものである。また、前記画情報送信手段は、前記ファクシミリ画情報の部分の送信に際して、所定のパケット通信手順を用い、前記画情報受信手順は、上記ファクシミリ画情報の部分の受信に際して、上記パケット通信手順を用いるようにしたものである。
【０００７】
また、通話機能、内線通信機能および画情報蓄積機能を備えたファクシミリ装置において、通話終了時、当該通話先が中継局に指定され、当該通話先が接続される内線番号が送信宛先に設定されているファクシミリ画情報を蓄積しているとき、当該通話終了時から課金単位の終了までの残り時間が所定値以上ある場合には、当該通話にかかる回線が切断される前に、所定のファクシミリ伝送手順を開始し、上記残り時間を用いて、そのときの通話宛先に対して上記ファクシミリ画情報の部分を送信するとともに、１つの上記ファクシミリ画情報の送信を完了するまで、繰り返し、通話終了後に、同一の条件の下に、同一ファクシミリ画情報の残りの部分の送信を行う画情報送信手段と、通話終了後、回線が切断される前に、所定のファクシミリ伝送手順にかかるファクシミリ信号を受信すると、所定のファクシミリ伝送手順を開始して、画情報を蓄積するとともに、繰り返し、通話終了後に、同一相手先よりファクシミリ画情報の部分を受信すると、受信した部分を統合し、１つのファクシミリ画情報が完成すると、当該ファクシミリ画情報を、あらかじめ登録されている内線宛先へ送信する画情報受信手段を備えたものである。また、前記所定値は、前記所定のファクシミリ伝送手順の伝送前手順に要する時間に応じて設定されるものである。また、前記ファクシミリ画情報には送信期限日時が設定される一方、前記画情報送信手段は、当該送信期限日時までに送信完了しなかった上記ファクシミリ画情報が蓄積されている場合には、残りの画情報について、指定された送信宛先へ送信するようにしたものである。また、前記画情報送信手段は、前記ファクシミリ画情報の部分の送信に際して所定のパケット通信手順を用い、前記画情報受信手順は、上記ファクシミリ画情報の部分の受信に際して上記パケット通信手順を用いるようにしたものである。
【０００８】
【発明の実施の形態】
以下、添付図面を参照しながら、本発明の実施の形態を詳細に説明する。
【０００９】
図１は、本発明の一実施例にかかるグループ３ファクシミリ装置を示している。
【００１０】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１１】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１２】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１３】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１４】
網制御装置１１は、このグループ３ファクシミリ装置をアナログ公衆網ＰＳＴＮに接続するためのものであり、自動発着信機能を備えている。また、網制御装置１１には、通話のためのハンドセット１２が付設されている。
【００１５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１３に接続されており、これらの各要素間でのデータのやりとりは、主としてこの内部バス１３を介して行われている。
【００１６】
また、網制御装置１１とグループ３ファクシミリモデム１０との間のデータのやりとりは、直接行なわれている。
【００１７】
さて、本実施例では、ハンドセット１２を用いて通話した場合、その通話宛先について、送信待機しているファクシミリ画情報が蓄積されており、かつ、通話終了した時点から課金単位時間満了までの残り時間が、グループ３ファクシミリ伝送手順の伝送前手順に要する時間よりも大きい場合には、通話終了後、グループ３ファクシミリ伝送手順を開始し、そのときの通話宛先との間で所定のファクシミリ通信動作を行い、蓄積されているファクシミリ画情報を送信するようにしている。
【００１８】
これにより、通話終了後から、課金単位時間満了までの時間を利用してファクシミリ通信を行うことができ、結果的に、通信料金を削減することができる。
【００１９】
このようなファクシミリ通信動作を、以下、通話連結通信動作という。
【００２０】
この通話連結通信は、同一機能を備えた端末であり、ワンタッチダイアル番号に登録された宛先との間で行われる。また、通話連結通信におけるファクシミリ画情報の送受信は、ファクシミリ画情報を所定のパケット形式に整形してなるファクシミリデータパケットを用いて行う。
【００２１】
図２は、ワンタッチダイアル機能のおのおののワンタッチダイアルについて作成されるワンタッチダイアル情報の一例を示している。このワンタッチダイアル情報は、対応するワンタッチダイアル番号、当該ワンタッチダイアル番号に登録された電話番号、および、当該電話番号へ通話連結通信動作を行う際に用いる通信パラメータを記憶した通信パラメータ情報からなる。また、このワンタッチダイアル情報に登録される電話番号は、上述したように、同一機能を備えた端末装置の電話番号に限られる。
【００２２】
図３は、画像蓄積装置９にファクシミリ画情報を蓄積する際に作成されて保存されるファイル管理情報の一例を示している。このファイル管理情報は、それぞれの画情報ファイルを識別するためのファイル番号、例えば、ワンタッチダイアル番号等が指定される宛先情報、送受信等の区別をあらわす通信モード、送受信状況や送信終了した情報量等を記憶するための通信経過情報、最終送信日時を指定するための指定納期日時情報、および、画像蓄積装置９に蓄積されているファイル名等をあらわす画情報参照情報からなる。
【００２３】
また、通話連結通信動作時に適用されるファクシミリデータパケットの一例を図４（ａ），（ｂ）に示す。同図（ａ）は、送信すべきファクシミリ画情報を運ぶファクシミリデータパケットのうち、最終パケットを除いたもの（非最終パケット）の信号形式を示し、同図（ｂ）は、最終パケットの信号形式を示す。
【００２４】
非最終パケットは、このパケットがファクシミリデータパケットである旨を表示するファクシミリデータヘッダ、ファクシミリ画情報を先頭から所定データ長毎に区切って形成してなるファクシミリ分割データ、データエラーを検査するためのチェックサム、および、当該ファクシミリデータパケットの順番をあらわすパケット番号からなる。
【００２５】
また、最終パケットは、ファクシミリデータヘッダ、最終のファクシミリ分割データ（所定長）、データエラーを検査するためのチェックサム、および、当該ファクシミリデータパケットが最終パケットである旨をあらわすページ終了符号からなる。
【００２６】
また、これらのファクシミリデータパケットは、同図（ｃ）に示すような通信フレームに整形された状態で、やりとりされる。この通信フレームは、所定ビットパターンのフレームヘッダ、ファクシミリデータパケット、および、所定ビットパターンのフラグから構成される。
【００２７】
図５は、通話連結通信の送信側の処理の一例を示している。この送信処理は、このグループ３ファクシミリ装置のユーザが通話のために発呼した際に行われる。
【００２８】
まず、ハンドセット１２を用いた通話が開始されると（判断１０１の結果がＹＥＳ）、そのときの宛先電話番号の指定の際にワンタッチダイアルが用いられたかどうかを調べ（判断１０２）、判断１０２の結果がＹＥＳになるときには、その使用されたワンタッチダイアルが、宛先情報として登録されている送信待機中の画情報ファイルが記憶されているかどうかを、そのときに保存されているファイル管理情報を参照して調べる（判断１０３）。
【００２９】
判断１０３の結果がＹＥＳになるときには、通話が終了してユーザがハンドセット１２がオンフックするまで待ち（判断１０４のＮＯループ）、判断１０４の結果がＹＥＳになると、その時点から課金単位満了までの残り時間ＴＡを算出し（処理１０５）、残り時間ＴＡが、グループ３ファクシミリ通信手順の伝送前手順に要する時間に相当する基準時間ＴＴよりも大きいかどうかを調べる（判断１０６）。
【００３０】
判断１０６の結果がＹＥＳになるときには、まず、対応するワンタッチダイアル情報の通信パラメータ情報を調べて過去に通信した際の通信速度を調べ、その通信速度（ＳＰ）、残り時間ＴＡ、基準時間ＴＴ、および、通信フレームのデータサイズ（ＳＺ）に基づき、送信可能なファクシミリデータパケット数（ＰＴ）を算出する（ＰＴ＝（ＴＡ−ＴＴ）ｘＳＰ／ＳＺ）。そして、対応するファイル管理情報の通信経過情報に基づいて、どのパケット番号まで送信終了したかを調べ、送信開始パケットから送信終了パケットまでの範囲のファクシミリ画情報をそのときに送信可能な画情報であると判断し、その送信開始パケットから送信終了パケットを形成する（処理１０７）。ここで、今回が最初の送信であれば、１番目のパケットから（ＰＴ−１）番目のパケットまでが送信の対象となる。また、送信終了パケットまでの間にファクシミリ画情報の送信が完了する場合には、最終パケットまで作成して終了する。また、このために、通信経過情報には、少なくとも、当該画情報の通信状況については、「送信待機」、「送信完了」、「受信継続」、「受信完了」の各状態と、送受信終了した最終パケット番号の内容が登録される。
【００３１】
次いで、所定のグループ３ファクシミリ伝送手順の伝送前手順を実行して、自端末の識別情報と送信する画情報の識別情報を通知するとともにパケット通信手順への移行を相手端末へ指示し（処理１０８）、処理１０７で準備した通信フレームを、所定のパケット通信手順を用いて送信し（処理１０９）、回線を復旧する。
【００３２】
一方、判断１０６の結果がＮＯになるとき、判断１０３の結果がＮＯになるとき、および、判断１０２の結果がＮＯになるときには、この通話連結通信動作を行わない。
【００３３】
図６は、通話連結通信の受信側の処理の一例を示している。この受信処理は、このグループ３ファクシミリ装置のユーザが通話のために着信した際に行われる。
【００３４】
通話着信すると（判断２０１の結果がＹＥＳ）、通話が終了してユーザがハンドセット１２をオンフックするまで待つ（判断２０２のＮＯループ）。判断２０２の結果がＹＥＳになると、オフフック状態を保持し（処理２０３）、ビジートーンを検出するか、あるいは、ファクシミリ信号を受信するまで待つ（判断２０４，２０５のＮＯループ）。
【００３５】
ビジートーンを検出した場合で判断２０４の結果がＹＥＳになるときには、オフフック状態の保持を終了して回線を復旧し、この動作を終了する。
【００３６】
また、ファクシミリ信号を受信した場合で判断２０５の結果がＹＥＳになるときには、所定のグループ３ファクシミリ伝送手順を実行する（処理２０６）。このときには、通話連結通信が行われる場合なので、非標準手順へ移行する旨が指示される。
【００３７】
次いで、パケット通信手順に従って、画情報を受信する（処理２０７）。このとき、既に同一相手端末から同一識別情報の画情報を受信しているときには、その画情報と、処理２０７で受信した画情報を連結して、ひとまとまりのファクシミリ画情報を形成する。画情報の受信が終了すると、回線を復旧し（処理２０８）、そのときの受信動作で最終パケットまで受信し、１つの画情報の受信を完了したかどうかを調べる（判断２０９）。
【００３８】
判断２０９の結果がＹＥＳになるときには、受信した画情報の受信原稿をプロッタ６より記録出力する（処理２１０）。また、判断２０９の結果がＮＯになるときには、この通話連結通信動作を終了する。
【００３９】
ところで、同一宛先への通話が頻発しない場合には、ユーザより指定された指定納期日時になっても、指定されたファクシミリ画情報の送信を完了しないという状況が予想される。
【００４０】
そこで、ユーザより指定された指定納期日時を経過しても、送信完了していないファクシミリ画情報があった場合には、指定宛先へ発呼し、残りの画情報を送信するようにすればよい。また、その送信の際には、上述した通話連結通信動作と同様なパケット通信手順を用いる。
【００４１】
このようにすることで、ユーザが指定した納期日時には、指定されたファクシミリ画情報の送信が完了することとなる。
【００４２】
この場合の送信時の処理の一例を図７に示す。
【００４３】
まず、保存されているファイル管理情報を調べ、ユーザより指定された指定納期日時を経過しても、送信完了していないファクシミリ画情報があるかどうかを調べる（判断３０１）。判断３０１の結果がＮＯになるときには、即、この動作を終了する。
【００４４】
判断３０１の結果がＹＥＳになるときには、対応するファイル管理情報の通信経過情報に基づいて、どのパケット番号まで送信終了したかを調べ、送信終了していないファクシミリ画情報について、ファクシミリデータパケットを形成する（処理３０２）。
【００４５】
次いで、当該ファイル管理情報から宛先情報を取り出して、宛先へ発呼し（処理３０３）、所定のグループ３ファクシミリ伝送手順の伝送前手順を実行して、自端末の識別情報と送信する画情報の識別情報を通知するとともにパケット通信手順への移行を相手端末へ指示し（処理３０４）、処理３０２で準備したファクシミリパケットデータの通信フレームを、所定のパケット通信手順を用いて送信し（処理３０５）、所定の伝送後手順を行い（処理３０６）、回線を復旧して（処理３０７）、この動作を終了する。
【００４６】
図８は、このグループ３ファクシミリ装置の着信時の処理の一例を示している。
【００４７】
着信検出すると（判断４０１の結果がＹＥＳ）、着信応答し（処理４０２）、所定のグループ３ファクシミリ伝送手順の伝送前手順を行う（処理４０３）。ここで、パケット通信モードへの移行が通知されたかどうかを調べ（判断４０４）、判断４０４の結果がＹＥＳになるときには、パケット通信手順に従って、画情報を受信する（処理４０５）。
【００４８】
このとき、既に同一相手端末から同一識別情報の画情報を受信しているときには、その画情報と、処理４０５で受信した画情報を連結して、ひとまとまりのファクシミリ画情報を形成する。画情報の受信が終了すると、所定の伝送後手順を実行し（処理４０６）、回線を復旧する（処理４０７）。
【００４９】
そして、受信画情報を再構成し（処理４０８）、受信した画情報の受信原稿をプロッタ６より記録出力し（処理４０９）、この動作を終了する。
【００５０】
また、伝送前手順において通常の通信動作が通知された場合で、判断４０４の結果がＮＯになるときには、通常の受信動作を行って、受信した画情報の受信原稿をプロッタ６より記録出力し（処理４１０）、画情報の受信が終了すると、所定の伝送後手順を実行し（処理４１１）、回線を復旧して（処理４１２）、この動作を終了する。
【００５１】
図９は、本発明の他の実施例にかかるグループ３ファクシミリ装置を示している。なお、同図において、図１と同一部分および相当する部分には、同一符号を付している。
【００５２】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００５３】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００５４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００５５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００５６】
網制御装置１５は、このグループ３ファクシミリ装置をアナログ公衆網ＰＳＴＮと構内交換機ＰＢＸ（図示略）に接続するためのものであり、アナログ公衆網ＰＳＴＮの外線１本と、構内交換機ＰＢＸの内線１本の計２本の回線を収容する機能、および、それらの２回線について自動発着信機能を備えている。また、この網制御装置１５には、通話のためのハンドセット１２が付設されている。
【００５７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１５は、内部バス１３に接続されており、これらの各要素間でのデータのやりとりは、主としてこの内部バス１３を介して行われている。
【００５８】
また、網制御装置１５とグループ３ファクシミリモデム１０との間のデータのやりとりは、直接行なわれている。
【００５９】
また、この実施例においても、上述した実施例と同様な通話連結通信機能を備えている。ただし、この実施例においては、中継送信の形態を取る。
【００６０】
すなわち、この実施例では、中継送信の中継局に相当する端末に対して通話連結通信機能を適用し、中継局から最終宛先までの送信は、内線を利用する。また、このために、ワンタッチダイアル情報は、図１０のように、中継局の電話番号（中継局番号）と、最終宛先の宛先番号（内線番号）が含まれる。
【００６１】
図１１は、通話連結通信の送信側の処理の一例を示している。この送信処理は、このグループ３ファクシミリ装置のユーザが通話のために発呼した際に行われる。
【００６２】
まず、ハンドセット１２を用いた通話が開始されると（判断５０１の結果がＹＥＳ）、そのときの宛先電話番号の指定の際にワンタッチダイアルが用いられたかどうかを調べ（判断５０２）、判断５０２の結果がＹＥＳになるときには、その使用されたワンタッチダイアルが、宛先情報として登録されている送信待機中の画情報ファイルが記憶されているかどうかを、そのときに保存されているファイル管理情報を参照して調べる（判断５０３）。
【００６３】
判断５０３の結果がＹＥＳになるときには、通話が終了してユーザがハンドセット１２がオンフックするまで待ち（判断５０４のＮＯループ）、判断５０４の結果がＹＥＳになると、その時点から課金単位満了までの残り時間ＴＡを算出し（処理５０５）、残り時間ＴＡが、グループ３ファクシミリ通信手順の伝送前手順に要する時間に相当する基準時間ＴＴよりも大きいかどうかを調べる（判断５０６）。
【００６４】
判断５０６の結果がＹＥＳになるときには、まず、対応するワンタッチダイアル情報の通信パラメータ情報を調べて過去に通信した際の通信速度を調べ、その通信速度（ＳＰ）、残り時間ＴＡ、基準時間ＴＴ、および、通信フレームのデータサイズ（ＳＺ）に基づき、送信可能なファクシミリデータパケット数（ＰＴ）を算出する（ＰＴ＝（ＴＡ−ＴＴ）ｘＳＰ／ＳＺ）。そして、対応するファイル管理情報の通信経過情報に基づいて、どのパケット番号まで送信終了したかを調べ、送信開始パケットから送信終了パケットまでの範囲のファクシミリ画情報をそのときに送信可能な画情報であると判断し、その送信開始パケットから送信終了パケットを形成する（処理５０７）。ここで、今回が最初の送信であれば、１番目のパケットから（ＰＴ−１）番目のパケットまでが送信の対象となる。また、送信終了パケットまでの間にファクシミリ画情報の送信が完了する場合には、最終パケットまで作成して終了する。また、このために、通信経過情報には、少なくとも、当該画情報の通信状況については、「送信待機」、「送信完了」、「受信継続」、「受信完了」の各状態と、送受信終了した最終パケット番号の内容が登録される。
【００６５】
次いで、所定のグループ３ファクシミリ伝送手順の伝送前手順を実行して、自端末の識別情報、中継宛先、および、送信する画情報の識別情報を通知するとともにパケット通信手順への移行を相手端末へ指示し（処理５０８）、処理５０７で準備した通信フレームを、所定のパケット通信手順を用いて送信し（処理５０９）、回線を復旧する。
【００６６】
一方、判断５０６の結果がＮＯになるとき、判断５０３の結果がＮＯになるとき、および、判断５０２の結果がＮＯになるときには、この通話連結通信動作を行わない。
【００６７】
図１２は、通話連結通信の受信側の処理の一例を示している。この受信処理は、このグループ３ファクシミリ装置のユーザが通話のために着信した際に行われる。
【００６８】
通話着信すると（判断６０１の結果がＹＥＳ）、通話が終了してユーザがハンドセット１２をオンフックするまで待つ（判断６０２のＮＯループ）。判断６０２の結果がＹＥＳになると、オフフック状態を保持し（処理６０３）、ビジートーンを検出するか、あるいは、ファクシミリ信号を受信するまで待つ（判断６０４，６０５のＮＯループ）。
【００６９】
ビジートーンを検出した場合で判断６０４の結果がＹＥＳになるときには、オフフック状態の保持を終了して回線を復旧し、この動作を終了する。
【００７０】
また、ファクシミリ信号を受信した場合で判断６０５の結果がＹＥＳになるときには、所定のグループ３ファクシミリ伝送手順を実行する（処理６０６）。このときには、通話連結通信が行われる場合なので、非標準手順へ移行する旨が指示されるとともに、中継宛先の内線番号が通知される。
【００７１】
次いで、パケット通信手順に従って、画情報を受信する（処理６０７）。このとき、既に同一相手端末から同一識別情報の画情報を受信しているときには、その画情報と、処理６０７で受信した画情報を連結して、ひとまとまりのファクシミリ画情報を形成する。画情報の受信が終了すると、回線を復旧し（処理６０８）、そのときの受信動作で最終パケットまで受信し、１つの画情報の受信を完了したかどうかを調べる（判断６０９）。
【００７２】
判断６０９の結果がＹＥＳになるときには、受信した中継宛先へ、内線を用いて発呼し、受信した画情報を宛先のファクシミリ装置へ送信する（処理６１０）。また、判断６０９の結果がＮＯになるときには、この通話連結通信動作を終了する。
【００７３】
図１３は、指定納期日時を超過した送信ファイルがある場合の送信時の処理の一例を示している。
【００７４】
まず、保存されているファイル管理情報を調べ、ユーザより指定された指定納期日時を経過しても、送信完了していないファクシミリ画情報があるかどうかを調べる（判断７０１）。判断７０１の結果がＮＯになるときには、即、この動作を終了する。
【００７５】
判断７０１の結果がＹＥＳになるときには、対応するファイル管理情報の通信経過情報に基づいて、どのパケット番号まで送信終了したかを調べ、送信終了していないファクシミリ画情報について、ファクシミリデータパケットを形成する（処理７０２）。
【００７６】
次いで、当該ファイル管理情報から宛先情報を取り出して、宛先へ発呼し（処理７０３）、所定のグループ３ファクシミリ伝送手順の伝送前手順を実行して、自端末の識別情報、中継宛先の内線番号および送信する画情報の識別情報を通知するとともにパケット通信手順への移行を相手端末へ指示し（処理７０４）、処理７０２で準備したファクシミリパケットデータの通信フレームを、所定のパケット通信手順を用いて送信し（処理７０５）、所定の伝送後手順を行い（処理７０６）、回線を復旧して（処理７０７）、この動作を終了する。
【００７７】
図１４は、このグループ３ファクシミリ装置の着信時の処理の一例を示している。
【００７８】
着信検出すると（判断８０１の結果がＹＥＳ）、着信応答し（処理８０２）、所定のグループ３ファクシミリ伝送手順の伝送前手順を行う（処理８０３）。ここで、パケット通信モードへの移行が通知されたかどうかを調べ（判断８０４）、判断８０４の結果がＹＥＳになるときには、パケット通信手順に従って、画情報を受信する（処理８０５）。
【００７９】
このとき、既に同一相手端末から同一識別情報の画情報を受信しているときには、その画情報と、処理８０５で受信した画情報を連結して、ひとまとまりのファクシミリ画情報を形成する。画情報の受信が終了すると、所定の伝送後手順を実行し（処理８０６）、回線を復旧する（処理８０７）。
【００８０】
そして、受信画情報を再構成し（処理８０８）、受信した中継宛先へ、内線を用いて発呼し、処理８０８で再構成した画情報を宛先のファクシミリ装置へ送信し（処理６１０）、この動作を終了する。
【００８１】
また、伝送前手順において通常の通信動作が通知された場合で、判断８０４の結果がＮＯになるときには、通常の受信動作を行って、受信した画情報の受信原稿をプロッタ６より記録出力し（処理８１０）、画情報の受信が終了すると、所定の伝送後手順を実行し（処理８１１）、回線を復旧して（処理８１２）、この動作を終了する。
【００８２】
なお、上述した実施例では、通話連結通信動作を発呼側が主導して行う場合について説明したが、通話連結通信動作を着呼側が主導して行うようにすることもできる。その場合、例えば、発呼側が発呼者番号通知サービスを機能させ、着呼側が発呼側の電話番号を認識し、当該電話番号へ送信するファクシミリ画情報が送信待機されている場合に、通話終了後、課金単位時間満了までの残り時間を用いて、着呼側から発呼側へ画情報を送信する。
【００８３】
また、上述した実施例では、グループ３ファクシミリ装置について本発明を適用した場合について説明したが、さらに、複写機機能やプリンタ機能などを備えた複合機についても本発明を同様にして適用することができる。
【００８４】
【発明の効果】
以上説明したように、本発明によれば、ハンドセット１２を用いて通話した場合、その通話宛先について、送信待機しているファクシミリ画情報が蓄積されており、かつ、通話終了した時点から課金単位時間満了までの残り時間が、グループ３ファクシミリ伝送手順の伝送前手順に要する時間よりも大きい場合には、通話終了後、グループ３ファクシミリ伝送手順を開始し、そのときの通話宛先との間で所定のファクシミリ通信動作を行い、蓄積されているファクシミリ画情報を送信するようにしているので、通話終了後から、課金単位時間満了までの時間を利用してファクシミリ通信を行うことができ、結果的に、通信料金を削減することができるという効果を得る。
【図面の簡単な説明】
【図１】本発明の一実施例にかかるグループ３ファクシミリ装置の構成例を示したブロック図。
【図２】ワンタッチダイアル情報の一例を示した概略図。
【図３】ファイル管理情報の一例を示した概略図。
【図４】ファクシミリデータパケットの一例を示した概略図。
【図５】通話連結通信の送信側の処理の一例を示したフローチャート。
【図６】通話連結通信の受信側の処理の一例を示したフローチャート。
【図７】送信時の処理の一例を示したフローチャート。
【図８】着信時の処理の一例を示したフローチャート。
【図９】本発明の他の実施例にかかるグループ３ファクシミリ装置の構成例を示したブロック図。
【図１０】ワンタッチダイアル情報の他の例を示した概略図。
【図１１】通話連結通信の送信側の処理の他の例を示したフローチャート。
【図１２】通話連結通信の受信側の処理の他の例を示したフローチャート。
【図１３】送信時の処理の他の例を示したフローチャート。
【図１４】着信時の処理の他の例を示したフローチャート。
【符号の説明】
１  システム制御部
２  システムメモリ
１１，１５  網制御装置
１２  ハンドセット
【図１】
0004460190.tif 000002
【図２】
0004460190.tif 000003
【図３】
0004460190.tif 000004
【図４】
0004460190.tif 000005
【図５】
0004460190.tif 000006
【図６】
0004460190.tif 000007
【図７】
0004460190.tif 000008
【図８】
0004460190.tif 000009
【図９】
0004460190.tif 000010
【図１０】
0004460190.tif 000011
【図１１】
0004460190.tif 000012
【図１２】
0004460190.tif 000013
【図１３】
0004460190.tif 000014
【図１４】
0004460190.tif 000015